(57)【要約】      （修正有）【課題】ランナーバーを有しない係止片ユニットを使用して係止片取付装置を使用して所定のラベル類を所定の商品に係止させる際に、簡易な構成と操作が容易な係止片取付装置を提供する。【解決手段】挿通部２と保持部３とがファイバー部４の両端部に設けられている係止片が複数個相互に隣接して並列的に配列され、少なくとも相互に隣接する当該挿通部間同士と当該保持部間同士が連結部材７、８を介して相互に接合されることにより、接続バー部を使用することなく、形成された係止片ユニット６００を使用するための係止片取付装置２０であって、当該接続バー部を有しない当該係止片ユニットの一方の端部が、当該挿通部打ち出し位置２０３に配置された状態に於いて、当該係止片ユニットの他方の端部に、当該係止片ユニットに当該挿通部打ち出し位置部に向けたバイアス力が常時与えられる様な係止片ユニット押圧部材が設けられている係止片取付装置。【選択図】図１
2010228803.tif 000002
【特許請求の範囲】
【請求項１】
ファイバー部、及び当該ファイバー部の一方の端部に設けられた挿通部と当該ファイバー部の他方の端部に設けられた保持部とからなる係止片を、当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該係止片群の当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該挿通部打ち出し位置部に向けて、当該係止片ユニットを供給するための第１のガイド部を形成した案内板を当該係止片取付装置の上面に、当該係止片取付装置と一体的に固定されるか、若しくは当該係止片取付装置と着脱自在に設けると共に、当該案内板の当該第１のガイド部は、その第１の端部が当該挿通部打ち出し位置部と対向しており、当該第１の端部から当該係止片取付装置の後端部に向けて、延展された所定の長さを有する湾曲状に形成された第１の溝部で構成されていると共に、当該第１のガイド部内には、当該係止片ユニットの挿通部と、当該係止片ユニットの当該挿通部を当該挿通部打ち出し位置に向けて押圧する機能を有する係止片ユニット押圧部材とが共に摺動可能に挿入されるように構成されている事を特徴とする係止片取付装置。
【請求項２】
ファイバー部、及び当該ファイバー部の一方の端部に設けられた挿通部と当該ファイバー部の他方の端部に設けられた保持部とからなる係止片を、当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該係止片群の当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該挿通部打ち出し位置部に向けて、当該係止片ユニットを供給するための第１のガイド部を形成した案内板を当該係止片取付装置の上面に、当該係止片取付装置と一体的に固定されるか、若しくは当該係止片取付装置と着脱自在に設けると共に、当該案内板の当該第１のガイド部は、その第１の端部が当該挿通部打ち出し位置部と対向しており、当該第１の端部から当該係止片取付装置の後端部に向けて、延展された所定の長さを有する湾曲状に形成された第１の溝部で構成されていると共に、当該第１のガイド部内には、当該係止片ユニットの挿通部と、当該係止片ユニットの当該挿通部を当該挿通部打ち出し位置に向けて押圧する機能を有する係止片ユニット押圧部材とが共に摺動可能に挿入されるように構成されており、更に当該案内板には、当該第１のガイド部に近接し、且つ、当該第１のガイド部に並行して、当該第１のガイド部の湾曲形状と同一若しくはこれに近似した湾曲形状を有する第２の溝部からなる第２のガイド部が設けられており、当該第２のガイド部内を当該係止片ユニット押圧部材を押圧駆動する押圧駆動部材が摺動可能に挿入されている事を特徴とする係止片取付装置。
【請求項３】
当該第１のガイド部の当該第１の端部とは異なる第２の端部は閉鎖されており、且つ当該第１のガイド部の当該第２の端部近傍に、当該係止片ユニットの当該挿通部を当該第１のガイド部内に挿入するための開口部が直接設けられているか、或は第３のガイド部を介して接続されている事を特徴とする請求項１又は２に記載の係止片取付装置。
【請求項４】
当該第２のガイド部の当該第１の端部は、当該挿通部打ち出し位置部の近傍に指向せしめられており、且つ当該第２のガイド部の当該第２の端部は、当該第１のガイド部の当該第２の端部の近傍に指向せしめられている事を特徴とする請求項３に記載の係止片取付装置。
【請求項５】
当該開口部は、当該第１のガイド部内に挿入される当該係止片ユニットの当該挿通部が、当該係止片ユニット押圧部材よりも当該係止片ユニット押圧部材の押圧方向の前方に挿入されるような部位に設けられている事を特徴とする請求項３又は４に記載の係止片取付装置。
【請求項６】
当該案内板が当該係止片取付装置に着脱自在に取り付けられる様に構成されている場合には、当該第１と第２のガイド部の当該第２の端部は、何れも当該案内板と当該係止片取付装置の後端部との接合部の近傍に指向せしめられている事を特徴とする請求項１乃至５の何れかに記載の係止片取付装置。
【請求項７】
当該案内板と当該係止片取付装置とが一体的に構成されている場合には、当該第１と第２のガイド部の当該第２の端部は、当該係止片取付装置の仮想上縁面若しくは挿通部打ち出し位置部よりも下方側の適宜の部位に向けて延展せしめられている事を特徴とする請求項１乃至６の何れかに記載の係止片取付装置。
【請求項８】
当該第１のガイド部内を摺動する当該係止片ユニット押圧部材は、当該第１のガイド部内を当該第１のガイド部内に挿入された当該係止片ユニットの最終端部に於ける挿通部に当接して、当該係止片ユニット全体を当該第１のガイド部の当該第１の端部に向けて押し圧しながら摺動できる様に、常時バイアス力が印加されている事を特徴とする請求項１乃至７の何れかに記載の係止片取付装置。
【請求項９】
当該係止片ユニット押圧部材は、少なくとも当該第１のガイド部内に当該係止片ユニットの挿通部が挿入される時点に於いて、当該第１のガイド部の当該第２の端部近傍に於いて適宜のストッパー部材と係合して当該バイアス力に抗して、その位置で係止せしめられる様に構成されている事を特徴とする請求項８に記載の係止片取付装置。
【請求項１０】
当該ストッパー部材は、当該案内板上に設けられているか或は当該係止片取付装置の操作レバーと連動して作動するトラッキングレバーの一部に設けられている事を特徴とする請求項９に記載の係止片取付装置。
【請求項１１】
当該第１のガイド部には、当該係止片ユニットに含まれる各係止片を構成するファイバー部が通過して摺動しうる第１のスリット部が設けられている事を特徴とする請求項１乃至１０の何れかに記載の係止片取付装置。
【請求項１２】
当該第１のガイド部内を摺動する当該係止片ユニット押圧部材には、当該第１のスリット部を介して外方に延展する第１の連結部と接続され、当該第１のガイド部の外表面で当該第１のスリット部に沿って当該係止片ユニット押圧部材と一体的に摺動可能な操作部が設けられている事を特徴とする請求項１１に記載の係止片取付装置。
【請求項１３】
当該操作部は、当該第２のガイド部内を摺動する当該押圧駆動部材から当該第２のガイド部の当該第２のスリット部を介して外方に延展せしめられた第２の連結部と接続せしめられている事を特徴とする請求項１１又は１２に記載の係止片取付装置。
【請求項１４】
当該第１のガイド部内を摺動する当該係止片ユニット押圧部材は、当該第２のガイド部内を適宜の駆動手段により駆動される押圧駆動部材からの駆動力を当該第２の連結部、当該操作部及び当該第１の連結部を介して駆動力が付与されている事を特徴とする請求項１３に記載の係止片取付装置。
【請求項１５】
当該第２のガイド部の当該第２の端部又はその近傍部に当該押圧駆動部材を駆動する駆動機構が設けられている事を特徴とする請求項１乃至１４の何れかに記載の係止片取付装置。
【請求項１６】
当該第２のガイド部内に設けられている当該駆動機構は、ばね、或いは流体流、電気エネルギー、磁力エネルギー等を利用した機械的機構で構成されている事を特徴とする請求項１５に記載の係止片取付装置。
【請求項１７】
当該駆動機構が、バネ部材で構成されている場合には、当該押圧駆動部材は、当該第２のガイド部内に於いて、当該押圧駆動部材と当該第２のガイド部の閉鎖状の第２の端部との間に配置されたバネ部材によってバイアス力を受ける様に構成されている事を特徴とする請求項１４乃至１６の何れかに記載の係止片取付装置。
【請求項１８】
当該バネ部材は、当該第２のガイド部の当該第２の端部の閉鎖状態を解き、当該開放された当該第２のガイド部の当該第２の端部から挿入され、或は、引き抜かれる様に構成されている事を特徴とする請求項１７に記載の係止片取付装置。
【請求項１９】
当該係止片ユニット押圧部材は、当該操作部に対して、旋回自在に係合せしめられている事を特徴とする請求項１２乃至１８の何れかに記載の係止片取付装置。
【請求項２０】
当該係止片ユニット押圧部材は、少なくとも本体部と、当該係止片ユニットの後端部に於ける当該係止片の当該挿通部に当接する前方端部とを有し、当該前方端部は、当該挿通部の直径と同一或いはそれよりも小さい幅を有し、且つ当該挿通部の長さと同一或いは短い長さを持つ矩形断面を有している事を特徴とする請求項１乃至１９の何れかに記載の係止片取付装置。
【請求項２１】
当該係止片ユニット押圧部材に於ける当該前方端部は、当該係止片取付装置に於ける上面に於ける当該挿通部挿入溝部開口部から当該挿通部打ち出し位置部までの長さに対応した長さだけ当該本体部から前方に延展せしめられている事を特徴とする請求項２０に記載の係止片取付装置。
【請求項２２】
当該係止片取付装置の係止片打ち出し機構は、操作レバー部と当該操作レバー部と係合して、所定の部位で旋回運動を行うトラッキングレバー部と打ち出しピン部に接合され、且つその一部が当該トラッキングレバー部の一部に当接続している打出しピン保持部材とから構成されており、当該操作レバーの操作によって、当該打出しピン保持部材を当該打ち出しピン部の先端部が当該中空針内を通過して当該中空針の外方部に突出する様に構成されている事を特徴とする請求項１乃至２１の何れかに記載の係止片取付装置。
【請求項２３】
当該トラッキングレバーは、その中間部近傍部で、当該係止片取付装置の本体部に軸支されており、当該トラッキングレバーの第１の端部は、当該操作レバーの内部壁面に当接されており、当該トラッキングレバーの第２の端部は、当該打出しピン保持部材と係合されており、当該操作レバーの操作に従って、当該打出しピン保持部材を当該中空針固定部方向に前進せしめる様に構成されている事を特徴とする請求項１に記載の係止片取付装置。
【請求項２４】
当該トラッキングレバーの当該中間部近傍部に設けられた、当該係止片取付装置の本体部に設けた固定支軸に係合する係合部は、当該トラッキングレバーの長手方向に長軸を有する開口部で構成されている事を特徴とする請求項２２に記載の係止片取付装置。
【請求項２５】
当該トラッキングレバーの当該第１の端部近傍部と当該係止片取付装置の当該操作レバー部に対向する部分の裏側壁面の一部との間に、当該トラッキングレバーに常時反発力を付与するバネ部材が設けられている事を特徴とする請求項２３又は２４に記載の係止片取付装置。
【請求項２６】
当該トラッキングレバーの当該第２の端部近傍部と当該係止片取付装置の当該操作レバー部に対向する部分の裏側壁面の一部との間に、当該トラッキングレバーに常時吸引力を付与するバネ部材が設けられている事を特徴とする請求項２３又は２４に記載の係止片取付装置。
【請求項２７】
当該打出しピン保持部材と当該トラッキングレバーの当該第２の端部とは、旋回自在に係合せしめられている事を特徴とする請求項２２乃至２６の何れかに記載の係止片取付装置。
【請求項２８】
当該トラッキングレバーの当該第２の端部は、当該打出しピン保持部材に設けられた係合突起部と係合する為の長軸を有する開口部を有している事を特徴とする請求項２７に記載の係止片取付装置。
【請求項２９】
当該操作レバー部の少なくとも一部に、当該トラッキングレバーを軸支する固定支軸が嵌入するための凹状の切り欠け部が設けられている事を特徴とする請求項２２乃至２８の何れかに記載の係止片取付装置。
【請求項３０】
当該トラッキングレバーの当該第２の端部に、当該操作部の摺動動作を一時的に制止させる為に、ストッパー部材が設けられている事を特徴とする請求項９に記載の係止片取付装置。
【請求項３１】
当該ストッパー部材は、当該操作レバーが、操作開始直前の状況に戻った時点で、当該操作部の一部と係合するストッパー係合部が設けられている事を特徴とする請求項３０に記載の係止片取付装置。
【請求項３２】
当該ストッパー部材は、当該操作レバーが操作を開始した直後或はその直前に当該操作部との係合が解除されるように構成されている事を特徴とする請求項３１に記載の係止片取付装置。
【請求項３３】
当該打出しピン保持部材の少なくとも一部が、当該係止片取付装置の内壁面部に形成された水平で、当該中空針固定部、当該打出しピン部及び挿通部打ち出し位置部を貫通する中心軸線と同じ中心軸を有する摺動溝部内を摺動する様に構成されている事を特徴とする請求項２２乃至３２の何れかに記載の係止片取付装置。
【請求項３４】
当該係止片ユニット押圧部材の当該前方端部は、当該係止片の当該挿通部の直径よりも大きな厚みを形成する膨出部が設けられているか、当該係止片を受け入れる溝部或は凹陥部が設けられている事を特徴とする請求項２０に記載の係止片取付装置。
【請求項３５】
当該第１のガイド部を摺動する当該係止片ユニット押圧部材は、当該第１のガイド部の何れかの部位に於いて、その移動速度が変化する様に構成されている事を特徴とする請求項１乃至３４の何れかに記載の係止片取付装置。
【発明の詳細な説明】
【技術分野】
【０００１】
本願発明は衣類品、靴下等を一つに束ねたり、商品にその一端部を挿入してブランドラベル、値札、素材説明書、使用説明書等のラベル類を取付ける事ができる係止片を打ち出すことが出来る係止片取付装置に関するものである。
【背景技術】
【０００２】
一般に、衣類品、日常小物、サンダル、靴等を結束したり、当該商品にブランドラベル、値札等を効率的に取り付けるために、従来より、種々の係止片が使用されてきている。
【０００３】
かかる従来に於ける当該係止片１の一具体例の構成を図４に示すが、その構成は、図９に示す様に、挿通部２と、当該ラベル類等を保持し得る保持部３とが、適宜のファイバー部４の両端部に設けられているものであって、当該係止片１は、適宜の合成樹脂材料を使用して、上記した各構成部分が一体的に成形加工されているものである。
【０００４】
かかる係止片１は、図１０に例示する様に、適宜の商品１０の適宜の部位に、中空針２１を使用して、当該ファイバー部４をラベル類５に予め設けられた孔部６に通した後、当該ラベル類５を当該保持部３で保持したまま、当該中空針２１を当該商品１０に突き刺して当該挿通部２を貫通させる事によって、所定のラベル類５を、当該商品１０に係止させる様にしたものである。
【０００５】
そして、上記した従来の係止片１は、例えば、当該挿通部２、当該保持部３及び当該ファイバー部４とが、通常ナイロン、ポリプロピレン、ポリエステル等の合成樹脂で一体成形されているのである。
【０００６】
処で、上記した係止片１は、例えば、特開平１１−１４３３６７号公報（特許文献１）に示す様に、図４に示す様な、所定の商品に刺し通して当該係止片１の挿通部２を当該商品の裏側に係止させる中空針２１を有し、レバー２２を操作する事によって、当該中空針２１の中に当該係止片１の挿通部２を挿入し、適宜の押し出し手段４２を使用して当該係止片１の当該挿通部２を当該商品１０に係止させる様に構成されたガンと称される係止片取付装置２０が知られている。
【０００７】
そして、当該係止片１は、一本ずつ当該係止片取付装置２０から打ち出される様に構成されていても良く、或いは図５（Ａ）に示される様に、個々の当該係止片１が複数個平行に配列された状態で適宜の連結部１１を介して適宜の接続具である接続バー部２４に接合固定されたシート状の形態６００に構成し、図５（Ｂ）に例示されている様に、当該係止片取付装置２０の上面３１に形成されている接続バー部２４の挿入部４０と挿通部２の挿入溝部３２とにそれぞれ挿入する事により、図４に示す様に、それぞれの係止片１を個別に且つ連続的に所定の商品に打ち込み、所定のラベル類５を当該商品に係止させる事が出来る。
【０００８】
また、係止片取付装置２０に於ける当該係止片１０を打ち出す機構の一例としては、例えば、特開平６−２６３１２７号公報（特許文献２）或いは特開２０００−３３９２２（特許文献３）に示される様に、図４に示すレバー２２を操作する事によって、図６に示す様な機構によって、駆動される打ち出しピン４２が縦溝４１の側方に配設されており、挿通部３を接続バー２４の連結部１１から切り離して、筒状の中空針２１に沿って前方へ一個づつ押し出す様に構成されている。
【０００９】
係る従来の係止片取付装置２０の当該挿通部２を当該中空針２１に押し出す機構を更に詳細に説明するならば、図６（Ａ）には、従来に於ける当該係止片取付装置２０の当該挿通部２の押し出し機構の一具体例を示しており、より詳細には、図６（Ａ）及び図６（Ｂ）に示される様に、当該係止片取付装置２０は、当該係止片取付装置２０の先端部２０１に設けられた中空針２１を保持する中空針固定部２０２と、当該中空針固定部２０２と対向して設けられている当該挿通部２を当該中空針２１内に押し出す打出し手段つまり打ち出しピン部４３と、当該中空針固定部２０２と当該打出しピン４２の先端部が配置される打出しピン部４３との間に設けられている当該挿通部打ち出し位置部２０３とが配置されている係止片取付装置に於いて、当該操作レバー２２を操作する事によって、当該操作レバー部２２に連結された軸２０６の周りに旋回する接続レバー２０７の一方の端部２０８が旋回して当該打ち出しピン部４３の打出しピン４２が当該挿通部打ち出し位置部２０３で待機している当該挿通部２を押し出して当該中空針２１の内部を通過させる様に構成されている。
【００１０】
尚、従来の中空針２１の構造の例は、例えば、特開平８−１７１３４９号公報（特許文献４）に示されている様に、当該針部の側面には、当該係止片１の当該フィラメント部（ファイバー部）４が摺動しうる溝部２０４が設けられていると共に当該中空針２１の後端部には図６（Ａ）、（Ｂ）に示す様に適宜のカッター部７０が配置されているものである。
【００１１】
処で、係る従来の技術に於いては、先ず、接続バー部２４によって当該複数個の係止片１が並列されて形成されている当該係止片ユニット６００を当該係止片取付装置２０の上面部に設けられた当該挿通部２及び当該接続バー部２４をそれぞれの挿入溝部４０及び３２にその先端部を挿入し、図５に示す様に、係止片ユニット６００を当該係止片取付装置２０の上面部上に上方に向けて延展させながら、個々の係止片１を打ち出し操作を行うものであって、当該接続バー部２４によって、当該係止片ユニット６００は比較的安定して当該係止片取付装置２０の上面部上に上方に向けて安定的に保持されるが、当該係止片ユニット６００の長さが長くなると、操作中に当該係止片ユニット６００が揺動して当該係止片１０の打ち出し操作を不安定にすると共に、当該係止片ユニット６００が当該係止片取付装置２０の上方に延展している事そのものが当該打ち出し操作の邪魔となる。
【００１２】
そのため、特開平１１−１４３３６７号公報（特許文献１）に示す様に、例えば図７で示す様な当該係止片ユニット６００の配置形状規制ガイド部２２０を当該係止片取付装置２０の上面部に配置して、当該係止片ユニット６００の当該係止片取付装置２０の上面部からの突出高さを制限すると同時に当該係止片ユニット６００が操作中に揺動して操作の邪魔にならないように安定的に保持させる方法が採用されている。
【００１３】
然も、従来の技術に於いては、打ち込み操作時に当該それぞれの係止片１は当該接続バー部２４に設けられた当該連結部１１から当該中空針２１の適宜の部分に設けられている等の作用によって切り離され、図６（Ｂ）に示す様に、当該接続バー部２４は、当該連結部１１をともなって当該係止片取付装置２０の下方或いは後方から排出されることになるが、係る接続バー部２４はその場で不要となる為産業廃棄物として廃棄されることになる。
【００１４】
つまり、即ち、従来の係止片ユニット６００にあっては、当該接続バー部２４は確かに当該係止片ユニット６００を安定的に形態保持の為に有効ではあったが、最終的には産業廃棄物として処理せざるを得ない為、当該接続バー部２４そのものがオーバースペックであり原材料を浪費し、当該係止片ユニット６００の製造コストを増大させる事に寄与していると共に、産業廃棄物の廃棄処理の為の余計なコスト及びエネルギーを浪費することになるので、環境保全対策上問題があり、ＣＯ２の排出削減に対して逆行する事態となっていることは明らかである。
【００１５】
更に、従来の当該係止片取付装置２０に於いては、当該接続バー部２４を有する係止片ユニット６００を使用することから、当該個々の係止片１を打ち出す直前には、個々の係止片１の当該挿通部２を確実に当該挿通部打ち出し位置部２０３の位置に配置させておく必要があり、その為に、例えば、特開平６−２６３１２７号公報（特許文献２）に開示され、図８に示す様な、当該係止片取付装置２０の操作レバー２２の動作に応答して上下方向に揺動する爪部１８０を設け、当該爪部１８０を当該係止片ユニット６００の当該接続バー部２４と当該各係止片１とを連結している連結部材１１に間欠的に係合させて当該係止片１の当該挿通部２を１つずつ下降せしめる様に構成された送り機構を使用するか、当該上下に揺動する爪部１８０に替えて適宜の回転歯車を使用する機構を設ける等が知られている。
【００１６】
然しながら、係る当該挿通部２の送り機構は何れも機構が複雑で構成部品の数も多く、故障が多発し、製造工程での組み立て工程の作業効率を低下させるなどの問題があり、結局製造コストの増大と維持コストの増大を来たしていると言う問題があった。
【先行技術文献】
【特許文献】
【００１７】
【特許文献１】特開平１１−１４３３６７号公報
【特許文献２】特開平６−２６３１２７号公報
【特許文献３】特開２０００−３３９２２号公報
【特許文献４】特開平８−１７１３４９号公報
【発明の概要】
【発明が解決しようとする課題】
【００１８】
処で、近年の気候温暖化の影響から、当該係止片１が使用される対象商品の種類や形状が大きく変化してきており、例えば、オーバーや厚地のジャンパー、厚手のシャツ、厚手のセーター類、厚手の下着や厚手の靴下等の商品数が少なくなり、軽量化、或いは薄手化された商品の数が多くなって来ている。
【００１９】
その結果、従来使用されている当該係止片１のスペックでは、オーバースペックとなっている対象商品が増加してきている事から、当該係止片１そのもののスペックを見直す必要が生じてきており、小型化、軽量化、低コスト化された係止片が求められる様になって来ていると同時に、世界的な温暖化現象を防止する観点から、省資源化、産業廃棄物の発生を抑制でき、且つ、ＣＯ２の発生の抑制に繋がる当該係止片１の開発使用が求められてきている。
【００２０】
本願の発明者は、鋭意検討した結果、上記問題を解決し、従来の係止片１のオーバースペック部分を見直し、軽量化、省資源化、更には低コスト化を追及することによって、産業廃棄物の発生を抑制でき、且つＣＯ２の発生の抑制に繋がる当該係止片１を開発すると同時に係る環境に優しい係止片１を専用的に使用する、打ち出し操作が効率的で省資源化、低コスト化を図り、然も環境保全に貢献する係止片取付装置を開発したものである。
【００２１】
従って、本願発明の目的は、軽量化、省資源化、更には低コスト化を達成すると同時に、ＣＯ２の排出削減に寄与する事が可能な係止片及び当該係止片を使用する係止片取付装置を提供するものである。
【課題を解決するための手段】
【００２２】
先ず、本願発明者は、従来の係止片１及び当該係止片ユニット６００の形状、構造を近年の上記した環境変化を参考にして、見直しを行い、ランナーバー、つまり接続バー部２４を有していない係止片ユニット６００であるにも拘らず、形態保持機能が十分備わっており、従って、操作時に、当該係止片構造体が不安的にふらつく事がなく、十分な安定性を呈するので操作効率が優れ、且つ、原材料の使用量を少なくして省資源化を計ると同時に環境汚染が少なく、製造コストも大幅に低減出来るエコタイプの係止片ユニット６００を開発したものである。
【００２３】
更に本願発明者は、従来の係止片１で使用されてきているフィラメント部よりも細いファイバーからなるファイバー部４を使用すると同時に従来使用されてきている横棒部よりも細い横棒部からなる挿通部２を使用し、更には従来使用されてきている頭部の形状よりも面積の小さい保持部３を併用する事によって省資源化に寄与する事が出来る係止片ユニット６００を提供する事が可能となったものである。
【００２４】
本願発明で使用される当該係止片１のファイバー部の直径は、従来の係止片におけるフィラメント部の直径よりも例えば５０％程度細く設計する事が可能であり、又当該保持部３の面積も、従来の係止片における当該保持部の面積よりも例えば５０％程度少なく設計する事も可能である。
【００２５】
本願発明で使用される当該新規構造を有する係止片１及び当該係止片を複数並列化して一体的に構成した係止片ユニット６００の構造例を示すならば、図３に示す通り、当該係止片ユニット６００は、保持部３、該保持部３に接続されたファイバー部４、当該ファイバー部４の該保持部３が接続されている端部とは反対側の端部に設けられ、該ファイバーに略直交する様に設けられている挿通部２とから構成された係止片１が、接続バー部を使用する事なく、当該保持部３及び挿通部２が互いに平行状態になる様に複数個集合してなる構造体であって、相互に隣接する当該保持部３間には、当該隣接する保持部３同士を連結固定する第１の連結部材７が設けられると共に、相互に隣接する当該挿通部２間で当該挿通部２に於けるその長手方向の略中央部には、当該隣接する挿通部２の略中央部分同士を連結固定する第２の連結部材８が設けられている構成を有するものである。
【００２６】
本願発明に於いて使用される当該第１の連結部材７及び第２の連結部材８は、同じ構成であっても良い事はいうまでもなく、その形状も図３（Ｂ）に示す様に、棒状、円筒状、或は所定の幅を持った薄膜状であっても良く、又均一な円筒状形状であっても良く、或は図３（Ｃ）に示す様に、円錐状の形状を有しているものであっても良く、その一方の端部に形成された先鋭部１２２が隣接する挿通部２と点接合している構造のものであっても良い。
【００２７】
即ち、本願発明に於いては、当該第１及び第２の連結部材７及び８は同一の形状であっても良く或は相互に異なる形状を有するものであっても良いが、何れも従来の同様の連結部材よりも、細く或は短く、若しくは薄いものであることが望ましい。
【００２８】
又、本願発明に於ける当該連結部８の他の例としては、図３（Ｄ）に示す様に、当該円筒状の連結部８が当該隣接する挿通部２間で斜めに配置される様に構成されたものであっても良く、係る構造とすることによって、当該連結部が容易に切断され、切断効率が向上する。
【００２９】
一方、本願発明に於ける当該連結部８の別の例としては、図３（Ｅ）に示す様に、円筒形状の本体８の両端部に先鋭端部１２が設けられている様な構造にする事も可能である。
係る本願発明に於ける当該係止片ユニット６００は、上記構成によって、従来の係止片ユニットに比べてソフトで曲がり易いという特性を有するものではあるが、従来の係止片取付装置における様に、を使用しなくとも、当該係止片ユニット６００から、それぞれの係止片１を容易に分離させる事が可能である。
【００３０】
一方、本願発明に於いて、カッター７０を使用する場合には、図３に示す様に、当該第１の連結部材７は、手動或いは僅かな剪断力で容易に分離できる程度の結合力を示すものとして、当該第２の連結部８は、太い円筒形状とするか、フィルム状或いは板状の様に当該挿通部２の略中央部を含めた所定の長さを持つ部材で構成されているものであっても良く、これによって当該係止片ユニット６００が操作中にふらつく事がなく、又流通過程で収納或いは取り出しに際して絡まりが発生する事が防止出来る。
【００３１】
つまり、本願発明に係る当該係止片取付装置は、上記した何れの構成を有する当該係止片ユニット６００を使用出来る様に構成されているのであり、本願発明の重要な点は、ランナーバーを有していない当該係止片ユニットを使用するものであるにも拘らず、当該係止片取付装置で操作中に於いて、当該係止片ユニットの長さが長くなっても、操作中に当該係止片構造体シートが不安定な揺動や変位を呈することなく安定した形態を維持し続ける事が出来るので、操作が確実に、且つスムーズに実行できるので、操作効率が高く、然も原材料の使用量が少ない為、省資源化に適し、同時にＣＯ２の排出を削減できるので、低コスト、並びに環境に優しいエコタイプの係止片構造体を容易に得る事が可能である。
【００３２】
更に、本願発明に使用される当該係止片ユニット６００では、ファイバー部４、挿通部２及び保持部３は細いファイバー或いは小さい面積、細い断面積のものを使用する事が出来るので、より一層低コスト化、省資源化に寄与する事が出来る係止片構造体を得る事が出来る。
【００３３】
即ち、本願発明者等は、上記した様に環境問題を配慮して、例えば、図３に示す様な、ランナーバーを使用せず、ポリプロピレン系合成樹脂を原料として、高さが５〜５０ｍｍ、横幅が８．０〜１０．０ｍｍ、長さが５０〜２００ｍｍ、ピッチ間隔が１．２〜１．５ｍｍ、ファイバーの直径が０．４〜０．６ｍｍという高密度配列を持つ係止片ユニットで、実用に十分対応する、小型化、軽量化、省資源化、高効率化を実現できる係止片ユニットを完成させる事が出来たものである。
【００３４】
そして、本願発明は、上記した新しいスペックを有する係止片ユニット６００を使用して、当該係止片ユニット６００を構成するそれぞれの係止片１を効率的に打ち出すことが可能な係止片取付装置２０を提供するものである。
【００３５】
即ち、本願発明に係る当該係止片取付装置２０は、環境に優しい係止片１を専用的に使用する、機構が簡単で、故障が少なく、保全維持にもコストがかからない、然も打ち出し操作が効率的で省資源化、低コスト化を図り、然も環境保全に貢献する係止片取付装置を提供する事を目的としたもので、基本的には、以下に示す技術構成を有するものである。
つまり、本願発明に係る当該係止片取付装置２０は、基本的には、以下に示す様な技術構成を採用するものである。
【００３６】
即ち、本願発明に係る当該係止片取付装置２０に係る第１の態様としては、基本的には、ファイバー部、及び当該ファイバー部の一方の端部に設けられた挿通部と当該ファイバー部の他方の端部に設けられた保持部とからなる係止片を、当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該係止片群の当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該挿通部打ち出し位置部に向けて、当該係止片ユニットを供給するための第１のガイド部を形成した案内板を当該係止片取付装置の上面に、当該係止片取付装置と一体的に固定されるか、若しくは当該係止片取付装置と着脱自在に設けると共に、当該案内板の当該第１のガイド部は、その第１の端部が当該挿通部打ち出し位置部と対向しており、当該第１の端部から当該係止片取付装置の後端部に向けて、延展された所定の長さを有する湾曲状に形成された第１の溝部で構成されていると共に、当該第１のガイド部内には、当該係止片ユニットの挿通部と、当該係止片ユニットの当該挿通部を当該挿通部打ち出し位置に向けて押圧する機能を有する係止片ユニット押圧部材とが共に摺動可能に挿入されるように構成されている事を特徴とする係止片取付装置である。
【００３７】
そして、本願発明に係る当該係止片取付装置２０に係る第２の態様としては、基本的には、ファイバー部、及び当該ファイバー部の一方の端部に設けられた挿通部と当該ファイバー部の他方の端部に設けられた保持部とからなる係止片を、当該挿通部を中空針に挿入して、所定の押し出し手段を介して当該挿通部を当該中空針から押し出すことによって当該挿通部を所定の商品に係止せしめ、ラベル類を当該保持部により当該所定の商品に貼着させる事によって当該ファイバー部に適宜のラベル類を保持させる様に構成されている係止片が複数個相互に隣接して並列的に配列され、少なくとも相互に隣接する当該係止片群の当該挿通部間同士と当該保持部間同士が連結部材を介して相互に接合されることにより、接続バー部を使用することなく、当該複数の各係止片が相互に固定されて、並列状態が維持されている係止片ユニットを使用するための係止片取付装置であって、且つ当該係止片取付装置は、当該係止片取付装置の先端部に設けられた中空針を保持する中空針固定部と、当該中空針固定部と対向して設けられている当該挿通部を当該中空針内に押し出す打出しピン部と、当該中空針固定部と当該打出しピン部との間に設けられている当該挿通部打ち出し位置部とが配置されている係止片取付装置に於いて、当該挿通部打ち出し位置部に向けて、当該係止片ユニットを供給するための第１のガイド部を形成した案内板を当該係止片取付装置の上面に、当該係止片取付装置と一体的に固定されるか、若しくは当該係止片取付装置と着脱自在に設けると共に、当該案内板の当該第１のガイド部は、その第１の端部が当該挿通部打ち出し位置部と対向しており、当該第１の端部から当該係止片取付装置の後端部に向けて、延展された所定の長さを有する湾曲状に形成された第１の溝部で構成されていると共に、当該第１のガイド部内には、当該係止片ユニットの挿通部と、当該係止片ユニットの当該挿通部を当該挿通部打ち出し位置に向けて押圧する機能を有する係止片ユニット押圧部材とが共に摺動可能に挿入されるように構成されており、更に当該案内板には、当該第１のガイド部に近接し、且つ、当該第１のガイド部に並行して、当該第１のガイド部の湾曲形状と同一若しくはこれに近似した湾曲形状を有する第２の溝部からなる第２のガイド部が設けられており、当該第２のガイド部内を当該係止片ユニット押圧部材を押圧駆動する押圧駆動部材が摺動可能に挿入されている事を特徴とする係止片取付装置である
【発明の効果】
【００３８】
本願発明に係る当該係止片取付装置は、上記したとおりの技術構成を有しているので、ランナーバーつまり接続バー部を有しないで構成された当該係止片ユニットを従来の様な複雑な当該挿通部の送り機構を使用せずに、当該係止片ユニットの後端部を湾曲状のガイド部材に沿って、押圧推進させる機構を使用して簡易な構成でありながら、効率良く、構成部品の少ない製造コストの安価で故障も少ない画期的な係止片取付装置が提供されるのであり、同時にＣＯ２の発生を抑制でき地球環境に優しい、地球温暖化防止に貢献できる係止片取付装置２０を提供する事が可能である。
【図面の簡単な説明】
【００３９】
【図１】図１は、本願発明に於ける係止片取付装置の一具体例の構成と係止片ユニットとの関係を説明する図である。
【図２】図２は、本願発明に使用される係止片ユニットを係止片取付装置に挿入する方法の一具体例の構成を示す図である。
【図３】図３は、本願発明に於いて使用される係止片ユニットの具体例の構成を示す図である。
【図４】図４は、従来に於ける係止片取付装置の構成及びその使用状態を説明する図である。
【図５】図５は、従来に於ける係止片取付装置の構成及び係止片ユニットの構造を説斜視図である。
【図６】図６は、従来に於ける係止片取付装置に於ける挿通部打ち込み操作の一例を説明する構成及び係止片ユニットの構造を説明する図である。
【図７】図７は、従来に於ける係止片取付装置に使用される係止片ユニットの規制ガイド部の構成を説明する図である。
【図８】図８は、従来に於ける係止片取付装置に使用される係止片ユニットの送り機構の一例を示す側面図である。
【図９】図９は、従来に於ける係止片取付装置に使用される係止片の構成を説明する図である。
【図１０】図１０は、従来に於ける係止片の使用例を示す図である。
【図１１】図１１は、本願発明に於いて使用される図１に示す係止片取付装置の背面図の構成を説明する図である。
【図１２】図１２は、本願発明に係る当該案内板に設けられるガイド部材の一具体例の構成を示す図である。
【図１３】図１３は、本願発明に係る当該ガイド部材と操作部材の詳細な構成を示す図である。
【図１４】図１４は、本願発明に係る当該係止片取付装置に使用される係止片ユニット押圧部材の構成の一例を示す図である。
【図１５】図１５は、本願発明に係る別の具体例に於ける当該係止片ユニット押圧部材と、挿入頭部打ち出し位置との関係を説明する図である。
【図１６】図１６は、本願発明に係る当該係止片取付装置に使用される中空針の一具体例を示す図である。
【図１７】図１７は、本願発明に係る当該ガイド部材の他の具体例の構成を説明する図である。
【図１８】図１８は、本願発明に係る当該ガイド部材の他の具体例に於いて使用される係止片打ち出し機構の一部の構成を説明する図である。
【図１９】図１９は、本願発明に係る当該ガイド部材の更に他の具体例に於ける第１のガイド部と第２のガイド部及び係止片打ち出し装置との関係を説明する図である。
【図２０】図２０は、本願発明に係る当該ガイド部材の更に別の具体例の構成を説明する図である。
【発明を実施するための形態】
【００４０】
以下に、本願発明に係る係止片取付装置２０の一具体例の構成を、図面を参照しながら詳細に説明する。
即ち、図１は、本願発明に係る係止片取付装置２０の一具体例の構成を示す図であって、図２又は図３に示される様な、ランナーバー２４を有さずに、複数個の、挿通部２と保持部３とがファイバー部４の両端部に設けられている係止片１が平行に配列されている係止片シート６００の当該挿通部２を当該係止片取付装置２０の挿通部挿入溝部３２に挿入すると同時に当該フィラメント部４を当該係止片取付装置２０の縦溝４１内に挿入して、その後当該挿通部２を当該中空針２１の固定部近傍に対向配置して、所定の打出し手段４２を介して当該中空針２１から押し出すことによって当該挿通部２を所定の商品に係止せしめ、ラベル類を当該保持部により当該所定の商品に貼着させる事によって当該ファイバー部４に適宜のラベル類を保持させる様に構成されている係止片取付装置２０である。
【００４１】
そして、より詳細には、ファイバー部４、及び当該ファイバー部４の一方の端部に設けられた挿通部３と当該ファイバー部４の他方の端部に設けられた保持部３とからなる係止片１を、当該挿通部２を中空針２１に挿入して、所定の押し出し手段４２を介して当該挿通部２を当該中空針２１から押し出すことによって当該挿通部２を所定の商品１０に係止せしめ、ラベル類５を当該保持部３により当該所定の商品１０に貼着させる事によって当該ファイバー部４に適宜のラベル類５を保持させる様に構成されている係止片１が複数個相互に隣接して並列的に配列され、少なくとも相互に隣接する当該係止片群の当該挿通部間同士と当該保持部間同士が連結部材７、８を介して相互に接合されることにより、接続バー部を使用することなく、当該複数の各係止片が相互に固定されて、並列状態が維持されている係止片ユニット６００を使用するための係止片取付装置２０であって、且つ当該係止片取付装置２０は、当該係止片取付装置２０の先端部に設けられた中空針２１を保持する中空針固定部２０２と、当該中空針固定部２０２と対向して設けられている当該挿通部２を当該中空針２１内に押し出す打出しピン部４３と、当該中空針固定部２０１と当該打出しピン部４３との間に設けられている当該挿通部打ち出し位置部２０３とが配置されている係止片取付装置２０に於いて、当該挿通部打ち出し位置部２０３に向けて、当該係止片ユニット６００を供給するための第１のガイド部１３を形成した案内板１２を当該係止片取付装置２０の上面に、当該係止片取付装置２０と一体的に固定されるか、若しくは当該係止片取付装置２０と適宜の着脱手段を使用して着脱自在に設けると共に、当該案内板の当該第１のガイド部１３は、図１５に例示する様に、その第１の端部９０が当該挿通部打ち出し位置部２０３と対向しており、当該第１の端部９０から当該係止片取付装置２０の後端部２０４に向けて、延展された所定の長さを有する湾曲状に形成された第１の溝部８１で構成されていると共に、当該第１のガイド部１３内には、当該係止片ユニット６００の挿通部２と、当該係止片ユニット６００の当該挿通部２を当該挿通部打ち出し位置２０３に向けて押圧する機能を有する係止片ユニット押圧部材９とが、共に摺動可能に挿入されるように構成されている係止片取付装置２０が示されている。
【００４２】
更に、本願発明に係る第２の態様としての、当該係止片取付装置２０は、ファイバー部４、及び当該ファイバー部４の一方の端部に設けられた挿通部３と当該ファイバー部４の他方の端部に設けられた保持部３とからなる係止片１を、当該挿通部２を中空針２１に挿入して、所定の押し出し手段４２を介して当該挿通部２を当該中空針２１から押し出すことによって当該挿通部２を所定の商品１０に係止せしめ、ラベル類５を当該保持部３により当該所定の商品１０に貼着させる事によって当該ファイバー部４に適宜のラベル類５を保持させる様に構成されている係止片１が複数個相互に隣接して並列的に配列され、少なくとも相互に隣接する当該係止片群の当該挿通部間同士と当該保持部間同士が連結部材７、８を介して相互に接合されることにより、接続バー部を使用することなく、当該複数の各係止片が相互に固定されて、並列状態が維持されている係止片ユニット６００を使用するための係止片取付装置２０であって、且つ当該係止片取付装置２０は、当該係止片取付装置２０の先端部に設けられた中空針２１を保持する中空針固定部２０２と、当該中空針固定部２０２と対向して設けられている当該挿通部２を当該中空針２１内に押し出す打出しピン部４３と、当該中空針固定部２０１と当該打出しピン部４３との間に設けられている当該挿通部打ち出し位置部２０３とが配置されている係止片取付装置２０に於いて、当該挿通部打ち出し位置部２０３に向けて、当該係止片ユニット６００を供給するための第１のガイド部１３を形成した案内板１２を当該係止片取付装置２０の上面に、当該係止片取付装置２０と一体的に固定されるか、若しくは当該係止片取付装置２０と適宜の着脱手段を使用して着脱自在に設けると共に、当該案内板の当該第１のガイド部１３は、その第１の端部９０が当該挿通部打ち出し位置部２０３と対向しており、当該第１の端部９０から当該係止片取付装置２０の後端部２０４に向けて、延展された所定の長さを有する湾曲状に形成された第１の溝部８１で構成されていると共に、当該第１のガイド部１３内には、当該係止片ユニット６００の挿通部２と、当該係止片ユニット６００の当該挿通部２を当該挿通部打ち出し位置２０３に向けて押圧する機能を有する係止片ユニット押圧部材９とが、共に摺動可能に挿入される様に構成されていると共に、更に当該案内板１２には、当該第１のガイド部１３に近接し、且つ、当該第１のガイド部１３に並行して、当該第１の溝部８１の湾曲形状と同一若しくはこれに近似した湾曲形状を有する第２の溝部８３からなる第２のガイド部７３が設けられており、当該第２のガイド部７３内を当該係止片ユニット押圧部材９を押圧駆動する押圧駆動部材４９が摺動可能に挿入されている係止片取付装置２０が示されている。
【００４３】
上記した説明から明らかな通り、本願発明は、従来の係止片ユニット取付装置２０の構成とは異なり、ランナーバーレス係止片ユニットをどのようにして当該係止片取付装置２０で、作業者がトラブルなく、効率的に且つ確実に当該係止片を適宜の商品に取り付けられるかを課題として開発されたものであり、当該係止片取付装置２０の係止片打出し機構そのものは、従来の機構を有するものであってもよく、又、本願発明に開示されている機構を採用した係止片取付装置２０を使用するものであっても良い。
【００４４】
即ち、本願発明における当該係止片取付装置２０では、当該係止片取付装置本体部の上面に、係止片ユニット６００を案内するガイド部１３を含む案内板１２を着脱自在に取り付けるか、当該係止片取付装置２０と一体的に固着接合したものであってもよく、更には、最初から、当該係止片取付装置２０と当該案内板１２とを一体化した形で成型加工して構成したものであっても良い。
【００４５】
そして、本願発明に於ける当該案内板１２には、当該係止片ユニット６００を当該係止片取付装置３０の当該挿通部打出し位置部２０３に向けて供給する為の第１のガイド部１３が設けられており、当該ガイド部１３内に当該係止片ユニット６００を摺動可能な状態で挿入させると共に、当該外形形状修正装置６００の当該挿通部打出し位置部２０３に対向する端部とは反対側の端部にある当該挿通部２に当該第１のガイド部１３内に別途挿入され、当該ガイド部１３内を摺動しうる当該係止片ユニット押圧部材９を当接させ、当該係止片ユニット押圧部材９を適宜の駆動機構を使用して当該係係止片ユニット押圧部材９に当該外形形状修正装置６００を、当該係止片取付装置２０の当該挿通部打出し位置部２０３に向けて常時押圧する様なバイアス力を印加させることによって、当該係止片取付装置２０に於いて、従来使用されてきた機構が複雑な係止片送り装置を使用しなくとも、確実に当該係止片ユニット６００を構成する個々の係止片を個別に１つずつ当該挿通部打出し位置部２０３に供給する事が可能になるのである。
【００４６】
そして、本願発明に於ける当該第１のガイド部１３は、当該係止片ユニットの長の長いものを使用可能とする為及び当該案内板１２の高さを抑制するという必要から、湾曲状の曲線を描く者である事が望ましい。
【００４７】
係る形状のガイド部１３を採用することによって、比較的長い長さを有する当該係止片ユニット６００を使用する事が可能となると同時に、当該係止片ユニット押圧部材９が所定のバイアス力を付与されて当該係止片ユニット６００を当該ガイド部１３内を摺動しながら当該挿通部打出し位置部２０３に向けて押圧進行させる処理が安定して且つ確実に実行させる事が出来る。
【００４８】
尚、本願発明に於いては、当該第１のガイド部１３は、当該係止片１の挿通部２及び当該係止片ユニット押圧部材９が共に摺動可能なように所定の幅と深さを有する第１の溝部８１を含み、且つ当該第１の溝部８１の略中央部に当該係止片１のファイバー部４が貫通して摺動する事が可能な第１のスリット部４４を含んでいる。
【００４９】
本願発明における当該案内板１２に於ける第１のガイド部１３は、その一方の端部、つまり第１の端部９０は、当該係止片取付装置２０の当該挿通部打出し位置部２０３を指向しており、当該第１のガイド部１３の当該第１の端部９０とは反対側の端部である第２の端部９１は、当該係止片取付装置２０の後端部近傍に指向せしめられており、当該第１の端部９０は当該係止片のそれぞれが当該挿通部打出し位置部２０３に向けて摺動排出される為開放されているが、当該第２の端部９１は、閉鎖状に構成されている事が望ましい。
【００５０】
一方、当該第１のガイド部１３に当該係止片ユニット６００を挿入するためには、当該第１のガイド部１３の一部で、当該第１のガイド部の第２の端部９１の近傍に当該第１のスリット部４４の部位も含めた領域に、当該係止片１の当該挿通部２が摺動挿入を可能とする開口部３３を設ける事が出来る。
【００５１】
係る開口部３３の下部領域には、当該係止片ユニット６００の当該挿通部２が外部から当該第１の溝部８１内部に容易に摺動挿入が可能な様に、適宜の傾斜面が構成されていることも好ましい具体例である。
【００５２】
一方、別の具体例としては、当該第１のガイド部１３における当該第１の溝部８１の当該第２の端部９１近傍の適宜の部位から分岐した第３のガイド部１５を設け、当該第３のガイド部１５を当該案内板１２の外周縁部に形成された適宜の開口部３３と接続させ、当該開口部３３から当該係止片ユニット６００を挿入し、当該第３のガイド部１５を介して、当該第１のガイド部１３の当該第１の溝部８１内に案内するものである。
【００５３】
又、本願発明に使用される当該係止片ユニット押圧部材９は、予め当該第１のガイド部１３の当該第１の溝部８１内に挿入せしめられており、当該第１のガイド部の当該第２の端部９１近傍に設けられている押圧駆動機構４９により常時当該第１のガイド部１３の当該第１の端部に向けて摺動するように所望のバイアス力が付与されており、且つ当該係止片ユニット押圧部材９は、当該第２の端部から当該第１の端部に向けて当該第１の溝部８１内を摺動する様に構成されている。
【００５４】
尚、当該係止片ユニット押圧部材９は、当該第１のスリット部４４を介して当該第１のガイド部１３から外部に延展されている適宜の操作部３７によってオペレータによって強制的に摺動させる事が可能であり、又、操作開始時前には、当該操作部３７を介して当該オペレータが当該係止片ユニット押圧部材９を当該第２の端部近傍まで戻し、その部位で適宜のストッパー部６０のフック部に当該操作部３７を係合させて、その状態で当該係止片ユニット押圧部材９を固定維持する。
【００５５】
その間に、当該開口部３３から所定の長さの係止片ユニット６００を挿入させて当該係止片ユニット押圧部材９の前方に当該係止片ユニット６００を配置したのち、当該ストッパー部を開放することによって、当該係止片ユニット押圧部材９が当該押圧駆動機構４９からバイアス力をえて、当該第１のガイド部１３内に配置された当該係止片ユニット６００を押圧摺動させて、当該係止片ユニット６００の前方端部を当該係止片取付装置２０の当該挿通部打出し位置部２０３まで押し進める。
【００５６】
その後は、当該係止片取付装置２０の操作レバー２２を操作する毎に、当該係止片ユニット６００の当該挿通部２は順次に当該挿通部打出し位置部２０３に降下せしめられ、確実に当該押し出しピン手段４３で中空針２１を介して外部に打出すことが出来る。
【００５７】
一方、本願発明に係る当該係止片取付装置２０の他の態様にあっては、当該係止片ユニット押圧部材９を駆動する為の押圧駆動機構４９としてバネ部材を使用するに際し、バネ部材４９を当該第１のガイド部１３に並走して当該案内板１２に形成された第２のガイド部７３に沿って摺動させるものである。
【００５８】
本願発明に於ける当該係止片取付装置２０は、従来から使用されている公知の係止片取付装置が使用されるものであっても良く、場合によっては、当該係止片取付装置２０の部分と当該案内板１２とを一体的に成型したものであっても良い。
【００５９】
一方、本願発明に係る当該係止片取付装置２０に於いては、当該案内板１２を当該係止片取付装置２０とは別体に形成し、図１及び図１１に示す様な、適宜の着脱手段１７、１８、１９等によって、当該係止片取付装置２０の上面部３１に密接させて着脱自在に取り付ける様に構成されているものであっても良い。
尚、図１１は、図１の背面図を示す。
【００６０】
本願発明に於ける当該係止片取付装置２０に使用される当該案内板１２は、適宜の合成樹脂材料で形成されたものである事が好ましく、全体の大きさは特に限定されるものではないが、使用する当該係止片ユニット６００の長さによって、適宜の大きさに設定する事が可能である。
【００６１】
然しながら、当該係止片取付装置２０の上面３１の上方にあまり高さが高い当該案内板１２を搭載させる事は、作業効率を低下させる畏れが多いので、当該第１のガイド部１３は、曲線状の形状をその少なくとも一部に導入する事が望ましい。
【００６２】
一方、当該第１のガイド部１３は、図１２（Ａ）に例示する様に、当該案内板１２の内部に少なくとも当該係止片１の当該挿通部２が摺動可能である様に、当該挿通部２の側面断面形状よりも若干大きめの矩形断面を有する摺動通路部４６で構成される第１の溝部８１が設けられており、当該摺動通路部４６である当該第１の溝部８１と当該案内板１２の表面との間に、当該係止片１の当該ファイバー部４が嵌合して摺動しうるスリット部４４が形成されている。
尚、当該第１の溝部８１の底面部には、その中央部に適宜の深さを持つ凹部８０が形成されているものであっても良い。
【００６３】
かかる、凹部８０を設けることは、例えば、当該係止片ユニット６００に於ける各係止片１の当該挿通部２の特に当該底面部と対向する部分に、突起或はひげ部又は傷部が存在することが多く、その為に、当該係止片ユニット６００の当該第１の溝部８１内部を円滑に摺動する事が妨げられる事がありうるので、係る問題を解決する際に有効な手段となる。
【００６４】
当該第１のガイド部１３は、上記した通り、当該係止片ユニット押圧部材９とそれを駆動する駆動機構４９の一部が当該係止片ユニット６００と同時に摺動するものであるので、当該第１のガイド部１３と当該係止片ユニット押圧部材９との関係を図１２（Ｂ）に例示する。
【００６５】
即ち、同図に示す様に、当該案内板１２の内部に少なくとも当該係止片ユニット押圧部材９が摺動可能である様に、当該係止片ユニット押圧部材９の断面形状よりも若干大きめの矩形断面を有する摺動通路部４６からなる第１の溝部８１で構成されており、当該第１の溝部８１と当該案内板１２の表面との間に、当該係止片ユニット押圧部材９が当該案内板１２の外表面で、オペレータによって操作される操作部３７と連結される適宜の構成を有する連結部３８が嵌合して摺動しうるスリット部４４が形成されている。
【００６６】
つまり、当該第１のガイド部１３に於ける当該第１の溝部８１は、当該係止片ユニット６００と当該係止片ユニット押圧部材９の双方を容易に摺動できるような共通したスペックを有しているのである。
【００６７】
又、本願発明に於いては、当該第１のガイド部１１の第２の端部９１の近傍には、当該係止片ユニット押圧部材９を当該挿通部打ち出し位置部２０３に向けた押圧力（バイアス力）を常時付与するための適宜の押圧駆動機構４９が設けられている。
【００６８】
当該係止片ユニット押圧部材９に印加されるバイアス力を発生させる当該駆動機構４９は、特に限定されるものではないが、例えば、コイルばね、渦巻きバネ、伸縮性弾性体、或いは流体流、電気エネルギー、磁力エネルギー等を利用した機械的機構で構成されている事が望ましい。
【００６９】
当該駆動機構４９による当該バイアス力は、当該係止片ユニット押圧部材９の少なくとも一部に対して直接的に若しくは間接的に印加されるように構成されている。
一方、当該第１のガイド部１３の当該第２の端部９１の近傍には、当該係止片ユニット押圧部材９を当該駆動機構４９の当該バイアス力に抗して、当該第１のガイド部１３の当該第２の端部９１近傍に係止せしめる為の、適宜の構成を有するストッパー部材６０が設けられている。
【００７０】
当該ストッパー部材６０の構成は特に限定されるものではないが、例えば、図１に示す様に、当該係止片ユニット押圧部材９と接続されている当該操作部３７の一部と係合するフック部６１を、その一方の端部に有する本体部６６を適宜の旋回軸６７を介して旋回自在に構成し、当該本体部６６の他方の端部を適宜のスプリング等からなる反発機構６８と係合させ、当該ストッパー部材６０の当該フック部６１を常時当該操作部３７の一部と係合する様に、ストッパー機能が有効となる様に構成し、当該本体部６６の他方の端部を押し込む事によって、当該フック部６１を当該操作部３７から離脱させて、当該ストッパー機能を無効する様に構成するものである。
【００７１】
また、当該操作部３７を当該ストッパー部材６０に係止させる場合には、当該係止片ユニット押圧部材９に接続された当該操作部３７をオペレータの手動操作によって、当該ストッパー部材６０のテーパー面６９を押圧して変位させ、当該ストッパー部材６０の当該フック部６１と当該操作部３７とを係合状態にする事で実行される。
又、後述する別の具体例では、当該ストッパー部材６０は、当該操作レバー２２と連動して駆動されるトラッキングレバーの一部に設ける事も可能である。
【００７２】
一方、本願発明に於いて使用される当該第１のガイド部１３は、その一方の端部、第１の端部９０が、当該係止片取付装置２０の上面部３１に設けられた、当該係止片ユニット６００を挿入するための装置開口端部４８と直接対向して設けられており、その他方の端部、第２の端部９１は、当該係止片取付装置２０の後端部に指向せしめられている。
【００７３】
本願発明に於ける当該係止片取付装置２０を実際に操作する場合には、図１に示す様に、初期の段階では、当該第１のガイド部１３内には当該係止片ユニット６００は存在しておらず、又当該第１のガイド部１３の当該第２の端部９１近傍に於いて当該係止片ユニット押圧部材９が適宜のストッパー部６０によって係止せしめられている。
【００７４】
係る状態で、オペレータが適宜の係止片ユニット６００を手動動作にて、当該第１のガイド部１３の当該開口部３３から当該係止片１を構成する当該挿通部２を当該第１のガイド部１３の当該第１の溝部８１内に挿入し、そのまま、手動操作により、当該係止片ユニット６００を、当該第１のガイド部１３のスリット部４４から突出している当該係止片１の当該保持部３を把持しながら、当該第１のガイド部１３の当該第１の溝部８１内を摺動移送させる。
【００７５】
係る操作によって、当該第１のガイド部１３の当該第１の溝部８１内では、挿入された当該係止片ユニット６００の最後端部にある当該係止片１の挿通部２は、当該係止片ユニット押圧部材９の前方位置に配置されている。
【００７６】
次いで、オペレータは、当該ストッパー部６０を操作して、当該係止片ユニット押圧部材９の操作部３７と当該ストッパー部６０との係合を開放し、当該駆動機構４９による当該バイアス力によって、当該係止片ユニット押圧部材９の先端部を当該係止片ユニット６００の最終端部に位置する当該係止片１の当該挿通部２と当接させ、そのまま、当該係止片ユニット６００全体を当該該第１のガイド部１３の開口端部となっている当該第１の端部９０を経由して当該挿通部打ち出し位置部２０３に常時押圧することになる。
【００７７】
その結果、本願発明では、従来の送り機構を使用することなく、当該係止片取付装置２０のレバー部２２を操作するだけで、当該係止片ユニット６００を構成する個々の係止片１は順次に正確に当該挿通部打ち出し位置部２０３に配置され、所定の打ち出し操作を受ける事が可能となる。
【００７８】
そして、当該係止片ユニット６００を構成する全ての当該係止片１が打ち出された後、オペレータは、図２０に例示する様に、当該係止片取付装置の開口端部４８近傍に存在している当該係止片ユニット押圧部材９に接続された当該操作部３７を手動操作によって、前記した当該第１のガイド部１３の当該第２の端部９１まで戻し、図１７に示す様に、当該ストッパー部６０に係合させてその位置に係止させる。
【００７９】
本願発明に於ける当該係止片ユニット押圧部材９の上記した構成にあっては、例えば、当該第１のガイド部１３内に当該係止片ユニットが存在していない場合或は、何らかの理由により、長さが短くなった当該係止片ユニットが存在している場合に、当該係止片ユニット押圧部材９の当該ストッパー部により係止されている位置から当該ストッパーの係合を解除すると、当該係止片ユニット押圧部材９は、かなりの速度で移動して、当該当該係止片ユニットの後端部の当該挿通部２に衝突したり、当該挿通部打出し一部に衝突する事になり、その結果、当該係止片ユニットの配列を乱したり、破損させたりする問題があり、又、当該係止片ユニット押圧部材９そのものが破損したりすると言う問題が発生する。
【００８０】
係る問題を解決する為に、本願発明では、当該第１のガイド部を摺動する当該係止片ユニット押圧部材は、当該第１のガイド部の何れか任意の部位、例えば図１に示す部位Ｇ、に於いて、その移動動作が一旦停止され、ユーザーの更なる操作によってその移動が再開されるように構成するものであっても良く、或は、当該係止片ユニット押圧部材９の移動速度が当該部位Ｇに於いて変化する様に構成しておく事も望ましい具体例である。
【００８１】
そのためには、例えば、当該第１のガイド部１３に於ける当該第１の溝部８１内の断面を若干小さくするか適宜の摩擦部材を配置して、当該溝部８１内を摺動する当該係止片ユニット押圧部材９の移動速度を低減するようにしておく事も一具体例である。
【００８２】
本願発明に於ける当該案内板１２は、全面が充実しているものであっても良いが、重量の軽減或は原材料の消費量削減の為に、図１に示す様に、当該案内板１２の任意の部位に開口窓部７１を設けるものであっても良い。
尚、図１５は、当該第１のガイド部１３の第１の端部９０の構成例を示す図である。
【００８３】
つまり、図１５の具体例では、当該案内板１２に第１の溝部１３のみが設けられており、当該第１の溝部１３内に、当該係止片ユニット６００と当該係止片ユニット押圧部材９とが同時に摺動され、当該係止片ユニット押圧部材９は、駆動機構であるバネ部材４９によって押圧摺動せしめられる構成を有している。
【００８４】
そして、当該係止片ユニット押圧部材９に対する当該駆動機構４９の押圧力の伝達方法としては、当該駆動機構４９の当該バイアス力が、当該係止片ユニット押圧部材９と当該操作部３７の何れかの一部に印加される様に構成されている事が望ましく、その具体的な機構は、特に限定されるものではないが、例えば、当該操作部３７に直接伝達する構成であっても良く、或は図１３に示す様に、当該操作部３７から延展された任意の部材７２、即ちバイアス力受け部７２に伝達する様に構成されたものであっても良い。
【００８５】
図１３に示された一具体例では、当該操作部３７の当該係止片ユニット押圧部材９と連結された当該連結部３８が設けられている部分とは異なる部分に適宜の接合部３９を設け、当該接合部３９に適宜の当該バイアス力受け部７２を取り付けたものである。
【００８６】
更に具体的には、当該バイアス力受け部７２は、当該第１のガイド部１３を当該係止片ユニット押圧部材９が摺動移動する際に、これとは別に設けられた第２のガイド部７３内を摺動して、当該操作部３７を押圧駆動するとどうじに当該操作部３７の移動経路を規制するものである。
【００８７】
つまり、本願発明に於ける別の具体例では、当該案内板１２には、当該第１及のガイド部１３に並走する第２のガイド部７３が設けられており、当該第２のガイド部７３内には、当該操作部３７と適宜の接合部３９を介して接続された操作部摺動案内部を構成するバイアス力受け部７２が摺動可能に挿入されており、且つ当該バイアス力受け部７２が当該挿通部打ち出し位置部２０３に向けたバイアス力を常時受ける様に構成されているものである。
【００８８】
当該接合部３９は、当該第２のガイド部７３に設けられた第２のスリット部７４を介して当該第２のガイド部７３から突出して当該案内板１２の外表面に顕出している。
当該バイアス力発生駆動機構４９が、バネ部材で構成されている場合には、当該バイアス力受け部７２は、当該第２のガイド部７３内に形成された第２の溝部８３内に於いて、当該バイアス力受け部７２と、当該第２のガイド部７３に於ける当該挿通部打ち出し位置部２０３とは反対の方向にある第２の端部９１との間に配置されたバネ部材４９、例えば、つるまきバネ４９によって当該バイアス力を受ける様に構成されているものである。
【００８９】
本願発明に於ける当該第１乃至第２のガイド部のそれぞれの形状は、特に限定されるものではないが、その少なくとも一部のガイド部の少なくとも一部の形状は、直線状で構成されていても良く、或は、曲線状若しくは湾曲状の形状が含まれているものであっても良い。
当該第２のガイド部７３と当該第１のガイド部１３との間隔は、当該操作部３７に設けられている当該連結部３８と当該接合部３９との間の距離に等しくなる様に構成されている事が望ましい。
【００９０】
此処で、本願発明に於いて使用される当該操作部３７の構造の具体例を説明するならば、図１３に示す様に、当該操作部３７は、基板部８２と把持部８７とから構成されており、当該基板部８２の下面には、当該第１のガイド部１３内を摺動する係止片ユニット押圧部材９が当該連結部３８を介して接続されており、一方、当該連結部３８から所定の距離だけ離れた部位に接合部３９が取り付けられており、当該接合部３９の下端部には、上記した第２のガイド部７３の第２の溝部８３内を摺動する操作部摺動案内部、つまりバイアス力受け部７２が取り付けられている。
本願発明に於いて使用される当該把持部８７の形状或は大きさは特に限定されるものではないが、操作性を阻害しない範囲で適宜の形状及び大きさを選択する事が可能である。
【００９１】
そして、当該バイアス力受け部７２には、当該バイアス力印加用駆動機構の一つであるつるまきバネ４９が当該第２のガイド部７３の当該第２の溝部８３内に挿入されており、当該つるまきバネ４９が当該第２のガイド部７３の当該第２の溝部８３の第２の端部９１と当該バイアス力受け部７２との間に配置されているので、当該バイアス力受け部７２は、当該第２のガイド部７３を当該係止片取付装置２０の当該係止片取付装置の当該開口端部４８の方向に常時バイアス力を受けることになる。
【００９２】
その結果、当該操作部３７を介して当該バイアス力受け部７２と一体的に固定されている当該係止片ユニット押圧部材９は、当該第１のガイド部１３を当該第１の端部９０に向けて前進せしめられ、既に当該第１のガイド部１３内に配置されている当該係止片ユニット６００の最後端部にある当該係止片１の当該挿通部２に当接し、当該係止片ユニット６００全体を当該係止片取付装置２０の当該開口端部４８の方向に常時押圧する様に作動する。
【００９３】
従って、当該打出しピン４２が当該挿通部打ち出し位置部２０３に位置する当該係止片ユニット６００に於ける最先端部の係止片１の当該挿通部２を打ち出して元の位置に戻った後に、次の係止片１の当該挿通部２が当該挿通部打ち出し位置部２０３に確実に下降せしめられ、次の打ち出し操作に備える事が可能となる。
【００９４】
次に、本願発明に於いて使用される当該係止片ユニット押圧部材９の具体的構成について、更に詳細に説明する。
本願発明に於ける当該係止片ユニット押圧部材９は、図１４（Ａ）、図１４（Ｂ）及び図１４（Ｄ）に示す様に、少なくとも本体部６４と当該係止片ユニット６００の後端部に於ける当該係止片１の当該挿通部２に当接する前方端部６５を有し、当該前方端部６５は、当該挿通部２の直径と同一或いはそれよりも小さい幅Ｗを有し、当該挿通部２の長さと同一或いは短い長さＳを持つ矩形断面を有している事が好ましい。
【００９５】
更に、当該係止片ユニット押圧部材９に於ける当該前方端部６５は、図１５に示す様に、当該係止片取付装置２０に於ける上面３１に於ける当該挿通部挿入溝部開口部４８から当該挿通部打ち出し位置部２０３までの長さＬに対応した長さだけ前方に延展せしめられている事が好ましい。
【００９６】
つまり、本願発明に於いては、当該係止片ユニット６００の最後の係止片１を構成する当該挿通部２までの全てが確実に当該挿通部打ち出し位置部２０３の位置に降下して配置される事が必要であり、一方、当該係止片ユニット押圧部材９は、当該本体部６４に取り付けられており、当該本体部は、通常は、当該係止片ユニット押圧部材９の断面形状よりも大きく構成されているので、当該係止片１の当該挿通部２の太さ及び長さよりも若干大きめの当該装置開口端部４８内に進入する事は出来ない。
【００９７】
従って、当該本体部６４の前方に当該装置開口端部４８内に進入する事が出来、それによって、当該係止片ユニット押圧部材９の当該前方端部６５の最先端部Ｐが、当該係止片ユニット６００の最後の係止片１を構成する当該挿通部２を、確実に当該挿通部打ち出し位置部２０３の位置まで押し出す事が可能な様に構成されている事が好ましい。
【００９８】
又、本願発明に於ける当該係止片ユニット押圧部材９の当該本体部６４の構成は特に限定されるものではないが、当該前方端部６５を当該第１のガイド部１３の当該第１の溝部８１に沿って適宜の駆動部材４９によって前方に向けて摺動出来るように、また打ち出し操作が終了した場合には、容易に当該第１のガイド部１３の第２の端部９１の近傍まで戻れる様に構成されていることが望ましい。
【００９９】
更に、本願発明に於ける当該係止片ユニット押圧部材９の別の具体例としては、当該係止片ユニット押圧部材９の当該前方端部６５の最先端部Ｐは、当該当該係止片１に於ける当該挿通部２の直径Ｗよりも大きな厚みを有する様な適宜形状の膨出部を設けることも可能であり、更には、当該最先端部Ｐの当該挿通部２と当接する部分に、適宜の溝部或は凹陥部を設けるものであっても良い。
【０１００】
これは、当該係止片ユニット押圧部材９の当該前方端部６５の最先端部Ｐが、当該第１のガイド部の当該第１の溝部内で、当該係止片１に於ける当該挿通部２を押し圧する際に当該の当該前方端部６５の最先端部Ｐが上下方向にずれて、当該挿通部２と当該第１のガイド部の内壁との間に挟みこまれると言う状態が発生する可能性があるので、それを防止するための手段として有効である。
【０１０１】
本願発明に於ける別の具体例としては、図１４（Ｄ）に示す様に、当該係止片ユニット押圧部材９の構成は、必ずしも当該本体部６４と当該前方端部６５とで構成される必要はなく、例えば、当該本体部６４と当該前方端部６５とが一体的に構成された構造を有するものであっても良い。
【０１０２】
その場合、当該本体部６４は、適宜の外観形状を呈し、その厚みや幅、及び長さの最大値が、図１４（Ａ）の当該前方端部６５に関する規格内に入る仕様であれば、使用可能である。
又、本具体例では、当該操作部３７の当該本体部６４と当該前方端部６５とは適宜の軸を中心として旋回可能に構成されていることも好ましい。
【０１０３】
本願発明に於ける当該係止片取付装置２０に於いては、基本的には、は不要であるが、必要な場合には、当該挿通部２を打ち出す毎に、当該相互に隣接する挿通部２間に形成されている第２の連結部材８を切断するための図１６に例示する様な適宜のカッター部７０を当該中空針２１の後端部に設けることが望ましい。
【０１０４】
そして、本願発明に於ける当該中空針２１に配置される当該カッター部７０の配置位置は当該特許文献４で示される公知の中空針２１に於けるカッター部の配置位置とは略９０度回転した位置関係になるように配置される事が必要である。
【０１０５】
或は、当該カッター部は、当該挿通部２を打ち出す操作に応答して、当該相互に隣接する挿通部２間に進出し、その後その位置から退出できる様な適宜の機構を採用するものであっても良い。
【０１０６】
更に、上記した通り、本願発明に於いては、当該カッターを使用しない当該係止片取付装置を使用することが可能である。
又、当該係止片ユニット押圧部材９の長さＬ’は、上記したとおり、当該係止片ユニット押圧部材９が当該第１のガイド部１３に於ける当該装置開口端部４８に最も接近した状態において、当該係止片ユニット押圧部材９の先端部Ｐが、当該係止片ユニット６００に於ける最後端部の当該係止片１の当該挿入部２を、所定の当該挿通部打ち出し位置２０３に配置挿入できる様な長さに設定されている必要がある。
【０１０７】
次に、本願発明に係る当該係止片取付装置２０の別の具体例を、図１７乃至図１９を参照して詳細に説明する。
即ち、本具体例に於いては、上記した具体例と基本的な構成は同一であるが、当該打出しピン機構を簡素化すると共に、当該ストッパー部材を当該操作レバー２２と連動するトレッキングレバーの一部に設け、且つ当該第１と第２のガイド部の長さを長くするように構成されたものである。
【０１０８】
本具体例では、図１７に示す様に、当該第１のガイド部１３の第２の端部９１は、当該打出しピン部４２の配置位置よりも下方に下がった位置に設けられていると同時に、当該係止片ユニット６００を当該係止片取付装置２０の外部から挿入するための当該開口部３３を当該第２の端部９１の近傍に配置してある。
【０１０９】
係る構成によって、当該係止片ユニット６００の長さが長いものでも使用する事が可能となる。
一方、本具体例に於ける当該第２のガイド部７３は、その第２の端部９１を当該第１のガイド部１３の当該第２の端部９１よりも更に下方に延展せしめ、当該係止片取付装置２０の握り部の最下端部まで延長したものである。
【０１１０】
係る構成によって、当該駆動機構４９として、コイルバネを使用する場合、長いコイルバネを使用する事が出来るので、反発力の大きいコイルバネを選択する事が可能であると同時に、当該第２のガイド部７３の当該第２の端部９１の閉鎖端部を開閉自在に構成し、当該バネ部４９が損傷した場合或は反発能力が低下した場合など、当該第２の端部９１を開放して、当該バネ４９を取り出して新たなバネと交換する操作が容易となる。
【０１１１】
又、本具体例では、当該ストッパー部材６０を当該操作レバー２２と連動して旋回するトラッキングレバー２０８の先端部に配置するものであり、これによって、当該操作レバーを駆動するとその直後に当該ストッパー部６０が当該操作部３７との係合からはずれるので、当該係止片ユニット押圧部材９に当接されている当該係止片ユニット６００が当該係止片ユニット押圧部材９と共に当該第２のガイド部１３内を当該係止片取付装置２０の当該挿通部打出し位置２０３に向けて前進せしめられる。
【０１１２】
当該トラッキングレバー２０８の先端部に配置される当該ストッパー部材の形状、構造は特に限定されるものではないが、図１８にその具体例を示しておく。
更に、本具体例では、当該係止片取付装置２０と当該案内板１２とを予め一体化するように成形加工するものであるので、上記具体例とは異なり、図１９に示す様に、当該第１のガイド部１３の当該第１の端部９０を当該装置開口端部４８を介することなく直接当該挿通部打ち出し位置部２０３の近傍に配置する事が可能となるので、上記具体例で使用される当該係止片ユニット押圧部材９の当該前端部６５はかなり短くする事が出来、場合によっては廃止する事も可能である。
【０１１３】
次に、本具体例に於ける係止片取付装置の係止片打ち出し機構について図１７を参照しながら説明する。
即ち、本具体例の係止片取付装置の係止片打ち出し機構は、操作レバー部２２と当該操作レバー部２２と係合して、所定の部位で旋回運動を行うトラッキングレバー部２０８と打ち出しピン部４２に接合され、且つその一部が当該トラッキングレバー部２０８の一部に当接続している打出しピン保持部材２０９とから構成されており、当該操作レバー２２の操作によって、当該打出しピン保持部材２０９を当該打ち出しピン部４２の先端部が当該中空針２１内を通過して当該中空針２１の外方部に突出する様に構成されている。
【０１１４】
本具体例に於ける当該トラッキングレバー２０８は、その中間部近傍部で、当該係止片取付装置２０の本体部に軸支２０６されており、当該トラッキングレバー２０８の第１の端部２０４は、当該操作レバー２２の内部壁面に当接されており、当該トラッキングレバー２０８の第２の端部２０５は、当該打出しピン保持部材２０９と係合されており、当該操作レバー２２の操作に従って、当該打出しピン保持部材２０９を当該中空針固定部方向に前進せしめる様に構成されている。
【０１１５】
本具体例に於ける当該トラッキングレバー２０８の当該中間部近傍部に設けられた、当該係止片取付装置の本体部に設けた固定支軸２０６に係合する係合部は、当該トラッキングレバー２０８の長手方向に長軸を有する開口部２１０で構成されていても良い。
【０１１６】
更に、当該トラッキングレバー２０８の当該第１の端部２０４の近傍部と当該係止片取付装置２０の当該操作レバー部２２に対向する部分の裏側壁面の一部２１１との間に、当該トラッキングレバー２０８に常時反発力を付与するバネ部材２１２が設けられている。
【０１１７】
又、別の具体例では、当該トラッキングレバー２０８の当該第２の端部２０５の近傍部と当該係止片取付装置２０の当該操作レバー部に対向する部分の裏側壁面２１１の一部との間に、当該トラッキングレバー２０８に常時吸引力を付与するバネ部材２１６が設けられているものであっても良い。
【０１１８】
更に、当該打出しピン保持部材２０９と当該トラッキングレバー２０８の当該第２の端部２０５とは、図１８に例示されているような機構を使用して、旋回自在に係合せしめられている事が望ましい。
【０１１９】
その為に、本具体例では、当該トラッキングレバー２０８の当該第２の端部２０５は、当該打出しピン保持部材２０９に設けられた係合突起部２１７と係合する為の長軸を有する開口部２１９を有している事も好ましい。
更に、本具体例では、当該トラッキングレバー２０８の当該第２の端部２０５には、当該トラッキングレバー２０８とは別体に構成されたストッパー部６０が設けられている。
【０１２０】
係る構成を採用することによって、作業者は、当該係止片を打ち込む操作を開示するに際して、改めて、当該ストッパー部６０を当該操作部材３７からはずす為の操作を行わなくとも、当該操作レバー２２を操作すると同時に、当該ストッパー部６０が当該操作部３７から離脱する事が出来るので、瞬時に当該係止片ユニット６００を当該係止片ユニット押圧部材９が押圧する状態に入れる事になるので効率的である。
【０１２１】
一方、本具体例に於ける当該操作レバー部２２の少なくとも一部に、当該トラッキングレバー２０８を軸支する固定支軸２０６が嵌入するための凹状の切り欠け部２１８が設けられている。
尚、本具体例に於いては、当該打出しピン保持部材２０９の少なくとも一部が、当該係止片取付装置２０の内壁面部に形成された水平で、当該中空針固定部、当該打出しピン部及び挿通部打ち出し位置部を貫通する中心軸線と同じ中心軸を有する摺動溝部２２０内を摺動する様に構成されているものである。
【０１２２】
又、図２０は、本願発明に関する係止片取付装置２０の更なる別の具体例の構成例を示すものであり、当該具体例では、第１と第２のガイド部材１３、７３は、湾曲状部分と直線状部分とを含む形状に形成されており、当該第１のガイド部材１３の第２の端部９１近傍に於いて、当該第１の溝部８１に分岐部を設けて第３のガイド部材１５を形成し、当該第３のガイド部１５の一方の端部を当該案内板１２の端縁部に延展させ、当該端縁部に当該係止片ユニット６００を当該第３のガイド部材１５内に挿入させる開口部３３を設けたものである。
【符号の説明】
【０１２３】
１  係止片
２  挿通部
３  保持部
４  ファイバー部
５  ラベル類
７  連結部材
８  連結部材
９  係止片ユニット押圧部材
１０  商品
１１  連結部
１２  案内板
１３  第１のガイド部
１５  第３のガイド部
２０  係止片取付装置
２１  中空針
２２  操作レバー
２４  接続バー部
３１  係止片取付装置の上面部
３２  挿通部挿入溝部
３３  開口部
３６  ガイド部材
３８  連結部
３９  接合部
４０  接続バー部挿入溝部
４１  縦溝部
４２  打出しピン部
４４  第１のスリット部
４６  摺動通路部
４８  係止片取付装置の開口端部
４９  駆動部材
６０  ストッパー部
６１  フック部
６４  係止片ユニット押圧部材の本体部
６５  前方端部
６６  ストッパー部本体部
６９  テーパー部
７０  カッター部
７１  開口窓部
７２  バイアス力受け部
７５  張り出し部
７３  第２のガイド部
７６  案内ロッド部
７７  バネ部材
７４  第２のスリット部
８１  第１の溝部
８２  基板部
８３  第２の溝部
８７  把持部
９０  第１の端部
９１  第２の端部
１０１、１０２、１０３  保持部材
１０４  支持基板部
１０５  回転軸
１０６  操作片
１０７  嵌合部
１０８  突起係合部
１１０  旋回ロッド
１１１  旋回軸
１１２  コイルスプリング
１１５  上方被覆部材
１１６  案内板
１１７  支持基板の裏面部
１１８  上端縁部
１１９  可動部
１２１  接続線条体
１２２  スリット部
１３０  旋回ロッドの内壁面
２０２  中空針固定部
２０３  挿通部打ち出し位置部
２０４  該係止片取付装置の後端部
２０４  トラッキングレバーの第１の端部
２０５  トラッキングレバーの第２の端部
２０６  固定支軸
２０８  トラッキングレバー
２０９  打出しピン保持部材
２１０  開口部
２１１  係止片取付装置の裏側壁面部
２１２、２１６  バネ部材
２１７  係合突起部
２１８  切り欠け部
２１９  長溝開口部
２２０  摺動溝部
６００  係止片ユニット
【図１】
2010228803.tif 000003
【図２】
2010228803.tif 000004
【図３】
2010228803.tif 000005
【図４】
2010228803.tif 000006
【図５】
2010228803.tif 000007
【図６】
2010228803.tif 000008
【図７】
2010228803.tif 000009
【図８】
2010228803.tif 000010
【図９】
2010228803.tif 000011
【図１０】
2010228803.tif 000012
【図１１】
2010228803.tif 000013
【図１２】
2010228803.tif 000014
【図１３】
2010228803.tif 000015
【図１４】
2010228803.tif 000016
【図１５】
2010228803.tif 000017
【図１６】
2010228803.tif 000018
【図１７】
2010228803.tif 000019
【図１８】
2010228803.tif 000020
【図１９】
2010228803.tif 000021
【図２０】
2010228803.tif 000022